(57)【特許請求の範囲】
【請求項１】
住戸に居住者が在室しているか不在であるかを検出する在不在検出装置と、
前記在不在検出装置にて在室が検出された住戸については第一の色で、不在が検出された住戸については第二の色で表示する表示部と、前記表示部に該当する住戸を選択するための選択操作部と、前記在不在検出装置にて在室状態から不在状態へ切り替わった場合に、第一の色および第二の色の何れか一方の色で前記表示部にて点滅表示させ、前記一方の色で点滅表示している表示部に該当する住戸を前記選択操作部にて選択すると、前記第二の色で表示させるとともに、前記在不在検出装置にて不在状態から在室状態へ切り替わった場合に、他方の色で前記表示部にて点滅表示させ、前記他方の色で点滅表示している表示部に該当する住戸を前記選択操作部にて選択すると、前記第二の色で表示させる制御部とを有する管理室親機と、
を備えたことを特徴とする在不在表示システム。
【発明の詳細な説明】
【技術分野】
【０００１】
本発明は、集合住宅において、管理室に設置された管理室親機で各住戸の在不在状態を表示する在不在表示システムに関する。
【背景技術】
【０００２】
複数の住戸が集まって構成されている集合住宅では、管理人が常駐する管理室などで、各住戸の居住者が在室しているか不在であるかを把握することが行われている。特に、居住者が高齢である場合には、居住者の安否確認のため、上述した在不在状態を確認することは重要である。このような場合において、住戸の玄関に設けた電気錠の状態（解錠または施錠）を検出したり、住戸内に設けた在室スイッチの状態および不在スイッチの状態を検出したりすることで、居住者の在不在状態を検出し、管理室に設置されている管理室親機の液晶画面に検出した在不在状態を表示する技術が知られている（例えば、特許文献１など）。
【０００３】
また、生活情報監視盤に設けた表示部に、各住戸の在室状態を示す表示灯および各住戸の不在状態を示す表示灯を設ける技術も知られている（例えば、特許文献２など）。
【０００４】
しかしながら、上述した特許文献１および特許文献２に記載した技術では、現在の各住戸の在不在状態を管理人が把握することは可能であるが、各住戸が在室状態から不在状態に切り替わったり、不在状態から在室状態に切り替わったりしたことを管理人が把握することは、管理人が常に表示を見続けていない限り困難になってしまうという問題があった。
【先行技術文献】
【特許文献】
【０００５】
【特許文献１】特開２００６−４２２８５号公報
【特許文献２】特開２００１−２８６３３号公報
【発明の概要】
【発明が解決しようとする課題】
【０００６】
本発明は、これらの問題を解決するために成されたものであり、集合住宅の各住戸の在不在状態を表示可能な管理室親機において、管理人が常時在不在状態の表示を見続けることなく、在不在の状態変化を確実に把握できるようにすることを目的とする。
【課題を解決するための手段】
【０００７】
上述した課題を解決するために、本発明では、住戸に居住者が在室しているか不在であるかを検出し、在室が検出された住戸については第一の色で、不在が検出された住戸については第二の色で管理室親機の表示部にて表示する。そして、在室状態から不在状態に切り替わった場合に、何れか一方の色で点滅表示させ、不在状態から在室状態へ切り替わった場合に他方の色で点滅表示させて、一方の色で点滅表示している表示部に該当する住戸を選択操作すると第二の色で表示し、他方の色で点滅表示している表示部に該当する住戸を選択操作すると第一の色で表示するようにしている。
【発明の効果】
【０００８】
上記のように構成した本発明によれば、住戸の在不在状態を示す表示が点滅している場合には、在不在状態が切り替わったことが明確に示されるとともに、点滅表示している表示部に該当する住戸を管理人が選択操作することで、切り替わった後の在不在状態が表示されるので、管理人が常時在不在状態の表示を見続けることなく、在不在の状態変化を確実に把握することができる。
【図面の簡単な説明】
【０００９】
【図１】本実施形態による在不在表示システムの構成例を示すブロック図である。
【図２】本実施形態による在不在表示システムの表示例を示す図である。
【図３】本実施形態による在不在表示システムの他の表示例を示す図である。
【発明を実施するための形態】
【００１０】
以下、本発明の一実施形態を図面に基づいて説明する。図１は、本実施形態による在不在表示システムの構成例を示すブロック図である。同図において、在不在検出装置１は、各住戸に設置されており、住戸内に居住者が在室しているか否かを検出するために使用される。ここで、在不在検出装置１は、電気錠２、インターフェース３を備えて構成されている。管理室親機１０は、管理人などが常駐する管理室に設置されており、管理人が各住戸の在不在状態を把握するために使用される。ここで、管理室親機１０は、親機制御部１１、親機インターフェース１２、記憶部１３、表示部１４、選択操作部１５を備えて構成されている。
【００１１】
電気錠２は、住戸の玄関近傍に設置されており、居住者が住戸の外側から施錠した場合に、玄関に設置されたドアを施錠するとともに、不在信号を生成する。一方、居住者が住戸の外側から解錠した場合に、電気錠２は、玄関に設置されたドアを解錠するとともに、在室信号を生成する。インターフェース３は、在不在検出装置１と管理室親機１０とを接続して通信を行う。インターフェース３は、電気錠２が不在信号を生成した場合に、生成された不在信号を管理室親機１０へ出力し、電気錠２が在室信号を生成した場合に、生成された在室信号を管理室親機１０へ出力する。ここで、不在信号および在室信号には、この在不在検出装置１を他の在不在検出装置１と識別するための識別情報が含まれる。
【００１２】
親機制御部１１は、管理室親機１０の各構成要素を後述するように制御するためのものであり、ＣＰＵ（Central Processing Unit）などにより構成されている。親機インターフェース１２は、管理室親機１０と在不在検出装置１とを接続して通信を行う。記憶部１３は、メモリーやハードディスク装置などにより構成されており、在不在検出装置１にて生成される不在信号や在室信号に含まれる識別情報と、在不在検出装置１が設置された住戸を他の住戸と識別するための住戸識別情報（例えば、部屋番号など）とを関連付けて予め記憶している。
【００１３】
表示部１４は、第一の色および第二の色で発光するランプなどにより構成されており、各住戸に対応して設けられている（例えば、記憶部１３に記憶されている住戸識別情報に関連付けられている）。ここで、第一の色は例えば青であり、第二の色は例えば赤である。また、表示部１４に使用されるランプは、第一の色および第二の色で点滅発光が可能である。また、表示部１４に使用されるランプのカバーは、住戸識別情報（例えば、部屋番号など）が印刷された透光性を有する部材により構成されている。
【００１４】
なお、本実施形態では、表示部１４をランプにより構成しているが、これに限定されない。例えば、表示部１４を液晶ディスプレイなどの表示装置により構成するようにしても良い。このような場合に、住戸識別情報が表示されている領域を第一の色および第二の色で表示するとともに、住戸識別情報が表示されている領域を第一の色および第二の色で点滅表示することで、ランプと同様の動作が可能となる。
【００１５】
選択操作部１５は、各住戸および表示部１４に対応して設けられており、管理人などが住戸を選択する操作を行うために使用される。初期状態として、親機制御部１１は、表示部１４を、在室状態を示す第一の色、または、不在状態を示す第二の色で点灯表示させておく。例えば、在室状態を示す第一の色で表示部１４を点灯表示させている状態で、在不在検出装置１の電気錠２が施錠されると、電気錠２により不在信号が生成され、生成された不在信号がインターフェース３により管理室親機１０へ出力される。管理室親機１０では、親機インターフェース１２が不在信号を入力する。親機制御部１１は、記憶部１３を参照して、不在信号に含まれる識別情報に関連付けて記憶されている住戸識別情報を取得し、関連付けられている表示部１４を第一の色で点滅表示させる。この点滅表示を見た管理人が、点滅表示している表示部１４に対応する選択操作部１５を操作すると、親機制御部１１は、その表示部１４を第二の色で点灯表示させる。
【００１６】
一方、不在状態を示す第二の色で表示部１４を点灯表示させている状態で、在不在検出装置１の電気錠２が解錠されると、電気錠２により在室信号が生成され、生成された在室信号がインターフェース３により管理室親機１０へ出力される。管理室親機１０では、親機インターフェース１２が在室信号を入力する。親機制御部１１は、記憶部１３を参照して、在室信号に含まれる識別情報に関連付けて記憶されている住戸識別情報を取得し、関連付けられている表示部１４を第二の色で点滅表示させる。この点滅表示を見た管理人が、点滅表示している表示部１４に対応する選択操作部１５を操作すると、親機制御部１１は、その表示部１４を第一の色で点灯表示させる。
【００１７】
図２（ａ）に示すように、１０１号室の表示部１４ａおよび１０４号室の表示部１４ｄを第一の色で点灯表示させており、１０２号室の表示部１４ｂおよび１０３号室の表示部１４ｃを第二の色で点灯表示させている状態で、１０１号室の電気錠２が施錠されると、電気錠２により不在信号が生成され、生成された不在信号がインターフェース３により管理室親機１０へ出力される。管理室親機１０では、親機インターフェース１２が不在信号を入力する。親機制御部１１は、記憶部１３を参照して、不在信号に含まれる識別情報に関連付けて記憶されている住戸識別情報（ここでは「１０１」）を取得し、関連付けられている表示部１４ａを第一の色で点滅表示させる（図２（ｂ））。この点滅表示を見た管理人が、点滅表示している表示部１４ａに対応する選択操作部１５ａを操作すると、親機制御部１１は、その表示部１４ａを第二の色で点灯表示させる（図２（ｃ））。
【００１８】
また、図３（ａ）に示すように、１０１号室の表示部１４ａおよび１０４号室の表示部１４ｄを第一の色で点灯表示させており、１０２号室の表示部１４ｂおよび１０３号室の表示部１４ｃを第二の色で点灯表示させている状態で、１０２号室の電気錠２が解錠されると、電気錠２により在室信号が生成され、生成された在室信号がインターフェース３により管理室親機１０へ出力される。管理室親機１０では、親機インターフェース１２が在室信号を入力する。親機制御部１１は、記憶部１３を参照して、在室信号に含まれる識別情報に関連付けて記憶されている住戸識別情報（ここでは「１０２」）を取得し、関連付けられている表示部１４ｂを第二の色で点滅表示させる（図３（ｂ））。この点滅表示を見た管理人が、点滅している表示部１４ｂに対応する選択操作部１５ｂを操作すると、親機制御部１１は、その表示部１４ｂを第一の色で点灯表示させる（図３（ｃ））。
【００１９】
以上詳しく説明したように、本実施形態によれば、住戸に居住者が在室しているか不在であるかを在不在検出部１により検出する。そして、在室を示す第一の色で表示部１４が点灯表示している場合に、在室状態から不在状態へ切り替わったときには、親機制御部１１は、第一の色で表示部１４を点滅表示させ、点滅表示している表示部１４に対応する住戸を選択操作部１５で選択すると、親機制御部１１は、第二の色で表示部１４を点灯表示させるようにしている。一方、不在を示す第二の色で表示部１４が点灯表示している場合に、不在状態から在室状態へ切り替わったときには、親機制御部１１は、第二の色で表示部１４を点滅表示させ、点滅表示している表示部１４に対応する住戸を選択操作部１５で選択すると、親機制御部１１は、第一の色で表示部１４を点灯表示させるようにしている。
【００２０】
これにより、住戸の在不在状態を示す表示が点滅表示している場合には、在不在状態が切り替わったことが明確に示されるとともに、点滅表示している表示部１４に該当する住戸を管理人が選択することで切り替わった後の在不在状態が表示されるので、管理人が常時在不在状態の表示を見続けることなく、在不在の状態変化を確実に把握することができる。
【００２１】
なお、前述した実施形態では、在不在検出装置１は、電気錠２により構成されているが、これに限定されない。例えば、住戸内の人の動きを検出する人感センサーと電気錠２とを併用して在不在状態を検出するようにしても良い。具体的には、電気錠２により施錠されても、住戸内で人感センサーが人の動きを検出した場合には、在不在検出装置１は在室状態を検出するようにしている。これにより、住戸内に複数の居住者が住んでいる場合でも、在不在状態をより正確に検出することが可能となる。
【００２２】
また、前述した実施形態では、在不在検出装置１は、電気錠２により構成されているが、これに限定されない。例えば、在室状態または不在状態を設定するための在不在設定スイッチを住戸内に設置するようにしても良い。そして、在不在検出装置１は、在不在設定スイッチが在室状態である場合に在室を検出し、在不在設定スイッチが不在状態である場合に不在を検出する。
【００２３】
また、前述した実施形態では、親機制御部１１は、在室状態から不在状態へ移行した場合に在室状態を示す第一の色で表示部１４を点滅表示させ、不在状態から在室状態へ移行した場合に不在状態を示す第二の色で表示部１４を点滅表示させるようにしているが、これに限定されない。例えば、在室状態から不在状態へ移行した場合に、親機制御部１１が不在状態を示す第二の色で表示部１４を点滅表示させ、不在状態から在室状態へ移行した場合に、親機制御部１１が在室状態を示す第一の色で表示部１４を点滅表示させるようにしても良い。すなわち、在不在状態が切り替わる前の色で点滅しようが、切り替わった後の色で点滅しようが、在不在状態が切り替わる前の色で点滅表示を行うのか、切り替わった後の色で点滅表示を行うのかを管理人に周知しておけば、何ら問題はない。
【００２４】
また、前述した実施形態では、選択操作部１５は各住戸および表示部１４に対応して設けられているが、これに限定されない。例えば、選択操作部１５が表示部１４を兼ねるようにしても良い。具体的には、表示部１４のランプのカバーが選択操作部１５の操作ユニットを形成することで、選択操作部１５が表示部１４を兼ねることが可能である。また、表示部１４をタッチパネルにより構成することで、選択操作部１５が表示部１４を兼ねることが可能である。
【００２５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００２６】
１    在不在検出装置
２    電気錠
３    インターフェース
１０    管理室親機
１１    親機制御部
１２    親機インターフェース
１３    記憶部
１４    表示部
１５    選択操作部
【図１】
0005700428.tif 000002
【図２】
0005700428.tif 000003
【図３】
0005700428.tif 000004